【手続補正書】
【提出日】平成15年7月22日(2003.7.22)
【手続補正１】
【補正対象書類名】明細書
【補正対象項目名】特許請求の範囲
【補正方法】変更
【補正の内容】
【特許請求の範囲】
【請求項１】
インクジェット方式により、マゼンタ、イエロー、及びシアンの水性インクを吐出し、カラー画像を形成する方法において、各色インクが、それぞれ下記（１）〜（３）の群から選択される色素の一種以上を含有することを特徴とするカラー画像の形成方法。
（１）マゼンタインク；
遊離酸の型が下記一般式（Ｉ）で表わされる色素。
一般式（Ｉ）
【化１】
1999029729.tif 000001
〔式中、Ｒ１，Ｒ２，Ｒ３，Ｒ４，Ｒ５及びＲ６は、それぞれ独立に、置換もしくは非置換の炭素数１〜９のアルキル基、置換もしくは非置換の炭素数１〜９のアルコキシ基、ハロゲン原子、水素原子、ヒドロキシル基、置換もしくは非置換のカルバモイル基、置換もしくは非置換のスルファモイル基、置換もしくは非置換のアミノ基、ニトロ基、スルホン酸エステルの基、スルホニル基、カルボキシル基、又はカルボン酸エステルの基を表わす。ｍ，ｎはそれぞれ独立に０，１，または２の数を表わす。Ｘ１，Ｘ２は夫々独立に、−ＯＲ７で示される基を表わし、Ｒ７  は、水素原子、炭素数１〜８のアルキル基、炭素数２又は３のアルケニル基、アリール基、アラルキル基、シクロヘキシル基、または含窒素複素環基を表わし、これらのうち水素原子以外の基は更に置換基を有していてもよい。
Ｙ１は下記一般式（ＩＩ）〜（ＩＶ）で示される基及びＡ群の基から選ばれる二価の結合基を示す。
一般式（ＩＩ）
【化２】
1999029729.tif 000002
（式中、Ｒ８及びＲ１０はそれぞれ独立に炭素数１〜８の直鎖状あるいは分岐鎖状のアルキレン基を表わし、Ｒ９は炭素数１〜１２の直鎖状もしくは分岐鎖状のアルキレン基、又は、下記（イ）式を表わし、ｐは０〜２０の数を表わす。
【化３】
1999029729.tif 000003
一般式（ＩＩＩ）
【化４】
1999029729.tif 000004
（一般式（ＩＩＩ）中、Ｒ１１，Ｒ１２は水素原子又はメチル基を表わす。）
一般式（ＩＶ）
【化５】
1999029729.tif 000005
（一般式（ＩＶ）中、Ｒ１３，Ｒ１４は水素原子、メチル基又はメトキシ基を表わす。）
（Ａ群）
【化６】
1999029729.tif 000006
（２）イエローインク；
カラーインデックス（Ｃ．Ｉ．）でアシッドイエロー２３、ダイレクトイエロー８６、１３２及び１４２、並びに遊離酸の型が下記一般式（ａ）で示される色素。
一般式（ａ）
【化７】
1999029729.tif 000007
｛式中、Ａｒ、Ａｒ１はそれぞれ独立にアリール基又は置換アリール基を表わし、Ａｒ、Ａｒ１の少なくとも一つはＣＯＯＨ基及びＣＯＳＨ基から選択される置換基を少なくとも一つ有し、Ｊ、Ｊ１はそれぞれ独立に下式（ｉ）、（ｉｉ）又は（ｉｉｉ）で表わされる連結基である。
【化８】
1999029729.tif 000008
〔式中、Ｒ１９は水素原子、アルキル基、置換アルキル基、アルコキシ基、ハロゲン原子、ＣＮ基、ウレイド基及びＮＨＣＯＲ２０基から選択され、Ｒ２０は水素原子、アルキル基、置換アルキル基、アリール基、置換アリール基、アラルキル基又は置換アラルキル基であり、Ｗ１はアルキル基であり、Ｗ２は水素原子、ＣＮ基、ＣＯＮＲ２４Ｒ２５基、ピリジニウム基及びＣＯＯＨ基から選択され、Ｑは炭素数２〜８のアルキレン鎖であり、Ｗ３は水素原子、アルキル基又はＣＯＯＨ基であり、Ｒ２４、Ｒ２５はそれぞれ独立に水素原子、アルキル基又は置換アルキル基である。〕。Ｒ１５、Ｒ１６、Ｒ１７、Ｒ１８はそれぞれ独立に水素原子、アルキル基、置換アルキル基を表わし、Ｌは２価の連結基であり、ｑは０または１であり、Ｘ３  、Ｘ４はそれぞれ独立にカルボニル基又は下式（ｉｖ）、（ｖ）又は（ｖｉ）で表わされる連結基である。
【化９】
1999029729.tif 000009
〔式中、Ｚ１はＯＲ２１、ＳＲ２１又はＮＲ２２Ｒ２３であり、Ｙ２は水素原子、塩素原子又はＣＮ基であり、Ｙ３は塩素原子又はＣＮ基であり、Ｒ２１、Ｒ２２、Ｒ２３はそれぞれ独立に水素原子、アルケニル基、置換アルケニル基、アルキル基、置換アルキル基、アリール基、置換アリール基、アラルキル基又は置換アラルキル基であり、又はＲ２２及びＲ２３はこれらが結合された窒素原子と一緒に５員環又は６員環を形成する場合がある。〕。一般式（ａ）で表わされる化合物はＳＯ３Ｈ基を持たない場合は少なくとも２つのＣＯＯＨ基及びＣＯＳＨ基から選ばれた基を有し、ＳＯ３Ｈ基を持つ場合は、ＣＯＯＨ基及びＣＯＳＨ基から選ばれた基が少なくともＳＯ３Ｈ基の数と同数である。｝
（３）シアンインク；
カラーインデックス（Ｃ．Ｉ．）でダイレクトブルー８６及び１９９、アシッドブルー９、並びに遊離酸の型が下記一般式（ｂ）で示される色素。
一般式（ｂ）
【化１０】
1999029729.tif 000010
｛式中、Ｐｃは金属を含有するフタロシアニン核であり、Ｒ２６、Ｒ２７、Ｒ２８はそれぞれ独立に水素原子、アルキル基、置換アルキル基、アルケニル基、置換アルケニル基、アラルキル基又は置換アラルキル基であり、Ｌ１は２価の連結基であり、Ｘ４はそれぞれ独立にカルボニル基又は下式（ｖｉｉ）、（ｖｉｉｉ）又は（ｉｘ）で表わされる連結基である。
【化１１】
1999029729.tif 000011
〔式中、Ｚ３はＮＲ２９Ｒ３０、ＳＲ３１又はＯＲ３１であり、Ｙ４は水素原子、塩素原子、Ｚ３、ＳＲ３２又はＯＲ３２であり、Ｙ５は塩素原子又はＣＮ基であり、Ｒ２９、Ｒ３０、Ｒ３１、Ｒ３２はそれぞれ独立に水素原子、アルキル基、置換アルキル基、アリール基、置換アリール基、アラルキル基又は置換アラルキル基であり、又はＲ２９及びＲ３０はこれらが結合された窒素原子と一緒に５員環又は６員環を形成してもよい。〕。ＧはＣＯＳＨ基及びＣＯＯＨ基から選択された１個又は２個の基によって置換された無色の有機基であり、（ｊ＋ｋ）は３〜４である。一般式（ｂ）で表わされる化合物は少なくとも１つのＳＯ３Ｈ基を有し、かつＣＯＳＨ基及びＣＯＯＨ基から選択された基をＳＯ３Ｈ基と同数以上有する。｝
【請求項２】
マゼンタインクが、遊離酸の型が前記一般式（Ｉ）で示される色素から選ばれる少なくとも一種の色素、及び下記Ｂ群中に示されるキサンテン色素から選ばれる少なくとも一種の色素とを含有するインクであることを特徴とする請求項１記載のカラー画像の形成方法。
〔Ｂ群〕
カラーインデックス（Ｃ．Ｉ．）において、
アシッドレッド５０、５１、５２、８７、９１、９２、９３、９４、９５、９８及び２８９、ベイシックレッド１、ベイシックバイオレット１０
【請求項３】
マゼンタ、イエロー及びシアンの各色水性インクを組み合わせたインクセットであって、各色インクが、それぞれ下記（１）〜（３）の群から選択される色素の一種以上を含有することを特徴とするインクセット。
（１）マゼンタインク；
遊離酸の型が下記一般式（Ｉ）で表わされる色素。
一般式（Ｉ）
【化１】
1999029729.tif 000012
〔式中、Ｒ１，Ｒ２，Ｒ３，Ｒ４，Ｒ５及びＲ６は、それぞれ独立に、置換もしくは非置換の炭素数１〜９のアルキル基、置換もしくは非置換の炭素数１〜９のアルコキシ基、ハロゲン原子、水素原子、ヒドロキシル基、置換もしくは非置換のカルバモイル基、置換もしくは非置換のスルファモイル基、置換もしくは非置換のアミノ基、ニトロ基、スルホン酸エステルの基、スルホニル基、カルボキシル基、又はカルボン酸エステルの基を表わす。ｍ，ｎはそれぞれ独立に０，１，または２の数を表わす。Ｘ１，Ｘ２は夫々独立に、−ＯＲ７で示される基を表わし、Ｒ７は、水素原子、炭素数１〜８のアルキル基、炭素数２又は３のアルケニル基、アリール基、アラルキル基、シクロヘキシル基、または含窒素複素環基を表わし、これらのうち水素原子以外の基は更に置換基を有していてもよい。
Ｙ１は下記一般式（ＩＩ）〜（ＩＶ）で示される基及びＡ群の基から選ばれる二価の結合基を示す。
一般式（ＩＩ）
【化２】
1999029729.tif 000013
（式中、Ｒ８及びＲ１０はそれぞれ独立に炭素数１〜８の直鎖状あるいは分岐鎖状のアルキレン基を表わし、Ｒ９は炭素数１〜１２の直鎖状もしくは分岐鎖状のアルキレン基、又は、下記（イ）式を表わし、ｐは０〜２０の数を表わす。
【化３】
1999029729.tif 000014
一般式（ＩＩＩ）
【化４】
1999029729.tif 000015
（一般式（ＩＩＩ）中、Ｒ１１，Ｒ１２は水素原子又はメチル基を表わす。）
一般式（ＩＶ）
【化５】
1999029729.tif 000016
（一般式（ＩＶ）中、Ｒ１３，Ｒ１４は水素原子、メチル基又はメトキシ基を表わす。）
（Ａ群）
【化６】
1999029729.tif 000017
（２）イエローインク；
カラーインデックス（Ｃ．Ｉ．）でアシッドイエロー２３、ダイレクトイエロー８６、１３２及び１４２、並びに遊離酸の型が下記一般式（ａ）で示される色素。
一般式（ａ）
【化７】
1999029729.tif 000018
｛式中、Ａｒ、Ａｒ１はそれぞれ独立にアリール基又は置換アリール基を表わし、Ａｒ、Ａｒ１の少なくとも一つはＣＯＯＨ基及びＣＯＳＨ基から選択される置換基を少なくとも一つ有し、Ｊ、Ｊ１はそれぞれ独立に下式（ｉ）、（ｉｉ）又は（ｉｉｉ）で表わされる連結基である。
【化８】
1999029729.tif 000019
〔式中、Ｒ１９は水素原子、アルキル基、置換アルキル基、アルコキシ基、ハロゲン原子、ＣＮ基、ウレイド基及びＮＨＣＯＲ２０基から選択され、Ｒ２０は水素原子、アルキル基、置換アルキル基、アリール基、置換アリール基、アラルキル基又は置換アラルキル基であり、Ｗ１はアルキル基であり、Ｗ２は水素原子、ＣＮ基、ＣＯＮＲ２４Ｒ２５基、ピリジニウム基及びＣＯＯＨ基から選択され、Ｑは炭素数２〜８のアルキレン鎖であり、Ｗ３は水素原子、アルキル基又はＣＯＯＨ基であり、Ｒ２４、Ｒ２５はそれぞれ独立に水素原子、アルキル基又は置換アルキル基である。〕。Ｒ１５、Ｒ１６、Ｒ１７、Ｒ１８はそれぞれ独立に水素原子、アルキル基、置換アルキル基を表わし、Ｌは２価の連結基であり、ｑは０または１であり、Ｘ３、Ｘ４はそれぞれ独立にカルボニル基又は下式（ｉｖ）、（ｖ）又は（ｖｉ）で表わされる連結基である。
【化９】
1999029729.tif 000020
〔式中、Ｚ１はＯＲ２１、ＳＲ２１又はＮＲ２２Ｒ２３であり、Ｙ２は水素原子、塩素原子又はＣＮ基であり、Ｙ３は塩素原子又はＣＮ基であり、Ｒ２１、Ｒ２２、Ｒ２３はそれぞれ独立に水素原子、アルケニル基、置換アルケニル基、アルキル基、置換アルキル基、アリール基、置換アリール基、アラルキル基又は置換アラルキル基であり、又はＲ２２及びＲ２３はこれらが結合された窒素原子と一緒に５員環又は６員環を形成する場合がある。〕。一般式（ａ）で表わされる化合物はＳＯ３Ｈ基を持たない場合は少なくとも２つのＣＯＯＨ基及びＣＯＳＨ基から選ばれた基を有し、ＳＯ３Ｈ基を持つ場合は、ＣＯＯＨ基及びＣＯＳＨ基から選ばれた基が少なくともＳＯ３Ｈ基の数と同数である。｝
（３）シアンインク；
カラーインデックス（Ｃ．Ｉ．）でダイレクトブルー８６及び１９９、アシッドブルー９、並びに遊離酸の型が下記一般式（ｂ）で示される色素。
一般式（ｂ）
【化１０】
1999029729.tif 000021
｛式中、Ｐｃは金属を含有するフタロシアニン核であり、Ｒ２６、Ｒ２７、Ｒ２８はそれぞれ独立に水素原子、アルキル基、置換アルキル基、アルケニル基、置換アルケニル基、アラルキル基又は置換アラルキル基であり、Ｌ１は２価の連結基であり、Ｘ４はそれぞれ独立にカルボニル基又は下式（ｖｉｉ）、（ｖｉｉｉ）又は（ｉｘ）で表わされる連結基である。
【化１１】
1999029729.tif 000022
〔式中、Ｚ３はＮＲ２９Ｒ３０、ＳＲ３１又はＯＲ３１であり、Ｙ４は水素原子、塩素原子、Ｚ３、ＳＲ３２又はＯＲ３２であり、Ｙ５は塩素原子又はＣＮ基であり、Ｒ２９、Ｒ３０、Ｒ３１、Ｒ３２はそれぞれ独立に水素原子、アルキル基、置換アルキル基、アリール基、置換アリール基、アラルキル基又は置換アラルキル基であり、又はＲ２９及びＲ３０はこれらが結合された窒素原子と一緒に５員環又は６員環を形成してもよい。〕。ＧはＣＯＳＨ基及びＣＯＯＨ基から選択された１個又は２個の基によって置換された無色の有機基であり、（ｊ＋ｋ）は３〜４である。一般式（ｂ）で表わされる化合物は少なくとも１つのＳＯ３Ｈ基を有し、かつＣＯＳＨ基及びＣＯＯＨ基から選択された基をＳＯ３Ｈ基と同数以上有する。｝